(57)【要約】【課題】傘にＬＥＤライトを取り付けて夜間の安全性や装飾性を演出するための装置において、購買者の選択のバリエーションを多くでき、スイッチ操作の面倒さをなくする。【解決手段】傘３の先端５に設けられる石突９に、取付手段のクリップ２３で着脱自在に取り付ける。電池を電源とするＬＥＤライトを点滅させる点滅回路４３を有する。また、傘３を開いた状態でこの傘３の骨に張られた布１７にスイッチ２９が接触してＬＥＤライトのＯＮ動作を行う。装置ハウジング１９は動物の形状を有し、クリップ２３はこの動物の四肢２１を模し、スイッチ２９は、この動物の尻尾３１を模し、傘３の骨に張られた布１７に接触すると、回動し、ＯＮ状態になる。【選択図】図1
2007089625.tif 000002
【特許請求の範囲】
【請求項１】
傘の先端に着脱自在に取り付ける取付手段と、電池によって点灯するＬＥＤライトと、前記傘を開いた状態でこの傘の骨に張られた布に接触して前記ＬＥＤライトのＯＮ動作を行うスイッチと、を一つの装置ハウジングに有することを特徴とする傘イルミネーションライト装置。
【請求項２】
前記電池と前記ＬＥＤライトの間には、ＬＥＤライトを点滅させる点滅回路を有することを特徴とする請求項１に記載の傘イルミネーションライト装置。
【請求項３】
前記装置ハウジングは動物の形状を有し、前記取付手段はこの動物の四肢を模したクリップであり、前記スイッチは、前記動物の尻尾を模し、この尻尾の先端が前記傘の骨に張られた布に接触するとこの尻尾が回動する回動中心と、回動前への状態へ復帰させるスイッチバネと、前記回動によりこの尻尾の基端によって押されてＯＮ状態になる押しスイッチと、を有することを特徴とする請求項１、又は２に記載の傘イルミネーションライト装置。
【発明の詳細な説明】
【技術分野】
【０００１】
この発明は、傘に取り付けて主に夜間に点灯させるＬＥＤライトの構造に関する。
【背景技術】
【０００２】
傘にＬＥＤライトを取り付けて夜間の安全性や装飾性を演出するための技術は、下記特許文献１、２に記載される。
【特許文献１】実用新案登録第３０７６１３５号
【特許文献２】特開平９−１６８４１６号  これらの技術では、装置は傘と一体的になっており、傘の手元の内部に電池が設けられ、上部にスイッチが設けられる。
【発明の開示】
【発明が解決しようとする課題】
【０００３】
しかしながら、ＬＥＤライトの装置が傘と一体的になっていると、購買者の好みが実現されにくい。すなわち、購買者は、傘自体のデザインと、ＬＥＤライトの色や点滅のある無し、さらには点滅の速度などを、好みに応じて選択したいが、一体的になっていると選択のバリエーションが少なくなってしまう。
【０００４】
また、仮に、ＬＥＤライトの装置を傘と別体にし後付にした場合に、傘の使用、不使用の度に、ＬＥＤライトの装置のスイッチをＯＮ／ＯＦＦしなければならない。ＬＥＤライトの装置は、傘の手元に設けられることは考えにくく、すなわち特許文献１，２に記載されるように傘の外側や先端に設けられるので、そこまで手を伸ばしてスイッチを操作するのは面倒である。特に雨降りの夜間などは、見えにくく傘が雨でぬれているので、面倒さは著しく、装置の商品としての価値を低くする。
【０００５】
この発明は、以上の問題点を解決するために、購買者の選択のバリエーションを多くでき、スイッチ操作の面倒さをなくすることができる傘イルミネーションライトを提供することを目的とする。
【課題を解決するための手段】
【０００６】
以上の課題を解決するために、第一発明は、傘の先端に着脱自在に取り付ける取付手段と、  電池によって点灯するＬＥＤライトと、前記傘を開いた状態でこの傘の骨に張られた布に接触して前記ＬＥＤライトのＯＮ動作を行うスイッチと、を一つの装置ハウジングに有することを特徴とする傘イルミネーションライト装置である。
第二発明は、さらに、前記電池と前記ＬＥＤライトの間には、ＬＥＤライトを点滅させる点滅回路を有することを特徴とする傘イルミネーションライト装置である。
第三発明は、さらに、前記装置ハウジングは動物の形状を有し、前記取付手段はこの動物の四肢を模したクリップであり、前記スイッチは、前記動物の尻尾を模し、この尻尾の先端が前記傘の骨に張られた布に接触するとこの尻尾が回動する回動中心と、回動前への状態へ復帰させるスイッチバネと、前記回動によりこの尻尾の基端によって押されてＯＮ状態になる押しスイッチと、を有することを特徴とする請求項１、又は２に記載の傘イルミネーションライト装置である。
【発明の効果】
【０００７】
第一、第二、又は第三発明によれば、傘イルミネーションライト装置を傘とは別体に構成し、取付手段によって傘の先端に取り付けるので、購買者は、好みの傘と、好みの傘イルミネーションライト装置を別々に選択し、組み合わせることができ、選択のバリエーションを多くできる。
また、傘を開いた状態で、傘の骨に張られた布に接触してＬＥＤライトのＯＮ動作を行うスイッチを有するので、雨降りの夜間など装置が見えにくく傘が雨でぬれている状態でも、スイッチ操作の面倒さをなくすることができる。
【０００８】
第二、又は第三発明によれば、さらに、傘イルミネーションライト装置は点滅を行うので、夜間の安全性や装飾性をより強く演出することができる。
【０００９】
第三によれば、装置ハウジングは動物の形状を有し、この動物の四肢で傘の石突に取り付き、この動物の尻尾が、傘の骨に張られた布に接触することで、スイッチがＯＮ状態になるので、夜間のみならず昼間の装飾性をもより強く演出することができる。
【発明を実施するための最良の形態】
【００１０】
この発明の実施形態を、図１〜図３に示す。
この実施形態の傘イルミネーションライト装置１は、通常の構造を有する傘３の先端５に取り付けられる。
すなわち、図２に示すように、通常の傘３は、中心の中棒７の先端５に石突９が取り付けられる。この中棒７と石突９の間に、上ろくろ１１と呼ばれる部品が固定され、複数の親骨１３が放射状に、回動可能に取り付けられる。親骨１３の下側の途中には、受骨(図示せず)の一端が回動可能に取り付けられ、他端が、下ろくろ（図示せず）と呼ばれる部品に、放射状に、回動可能に取り付けられる。この下ろくろは、中棒７に沿って上下にスライドする。
【００１１】
そして、傘３を閉じた状態で下ろくろをロックするための下はじき１５と呼ばれる爪が、中棒７の下方に出没可能に設けられる。また、傘３を開いた状態で下ろくろをロックするための上はじき（図示せず）と呼ばれる爪が、中棒７の上方に出没可能に設けられる。
放射状に配置される複数の親骨１３には、布１７が張り付けられる。この傘３の先端５に設けられる石突９に、この実施形態の傘イルミネーションライト装置１が着脱自在に取り付けられる。
【００１２】
図１に示すように、装置ハウジング１９は、コアラのような動物の形状を有し、石突９への取付手段はこの動物の四肢２１を模したクリップ２３である。すなわち、四肢２１のうち、右の前後の肢は、装置ハウジング１９に固定され、左の前後の肢が、回動軸２５周りに回動可能に取り付けられる。回動軸２５は、コイルバネからなる開閉バネ２７を有する。この開閉バネ２７一方の端部が、装置ハウジング１９に固定され、他方の端部が、左の前後の肢に固定される。左の前後の肢に設けられたツマミ２８によって、クリップ２３を開く。クリップ２３の内側には、ナイロン樹脂などで滑り止めを形成する。
【００１３】
スイッチ２９は、動物の尻尾３１を模し、この尻尾３１の先端が傘３の骨に張られた布１７に接触するに十分な長さを有する。この尻尾３１の基端近くには、回動中心となる軸３３が設けられる。この軸３３には、回動前への状態へ復帰させるスイッチバネ３５としてのコイルバネが設けられる。尻尾３１の基端には、突起３７が設けられる。傘３が開き布１７に接触して回動３８が起き、この尻尾３１の基端の突起３７によって押される位置に、後述の押しスイッチ４０が配置される。
【００１４】
また、コアラのような動物の形状の耳の部分には、計２個のＬＥＤ３９（発光ダイオード）が内蔵される。
図３の回路図に示すように、これら２個のＬＥＤ３９（発光ダイオード）は装置ハウジング１９に内蔵されるボタン電池４１を電源とするが、両者の間には装置ハウジング１９に内蔵される点滅回路４３が接続される。押しスイッチ４０は、尻尾３１の基端の突起３７によって押されて、ＯＮ状態になる。
【００１５】
また、この押しスイッチ４０の配線と平行な配線４５を行い、この配線４５の分岐点に、３つの状態を採る制御スイッチ４７を設ける。制御スイッチ４７の１の状態は、押しスイッチ４０の配線へ接続して押しスイッチ４０が有効に機能する状態である。制御スイッチ４７のニュートラルなの状態は、押しスイッチ４０のの配線及び平行な配線４５にも接続せず、押しスイッチ４０は機能せず、電源も切れた状態である。制御スイッチ４７の２の状態は、押しスイッチ４０の配線と平行な配線４５にのみへ接続して、押しスイッチ４０が機能せず、電源は入った状態である。
【００１６】
「実施形態の効果」
この実施形態によれば、傘イルミネーションライト装置１を、傘３とは別体に、動物の形状で構成し、四肢２１の部分のクリップ２３で、傘３の先端５の石突９に取り付けて使用する。よって、購買者は、好みの傘３と、好みの傘イルミネーションライト装置１を別々に選択し、組み合わせることができ、選択のバリエーションを多くできる。
【００１７】
また、傘３を開いた状態で、傘３の骨に張られた布１７に、動物の形の尻尾３１の部分が接触して、ＬＥＤライトのＯＮ動作を行うスイッチ２９を有するので、手でＯＮ／ＯＦＦの操作を行わなくて済む。このため、雨降りの夜間など装置が見えにくく傘３が雨でぬれている状態でも、スイッチ操作は確実に行われ、手や袖がぬれなくて済み、スイッチ操作の面倒さをなくすることができる。
【００１８】
さらに、傘イルミネーションライト装置１は、点滅回路４３によって点滅を行うので、夜間の安全性や装飾性をより強く演出することができる。
また、装置ハウジング１９は動物の形状を有し、この動物の四肢２１で傘３の石突９に取り付き、この動物の尻尾３１が、傘３の骨に張られた布１７に接触することで、スイッチ２９がＯＮ状態になるので、遊び心を楽しませ、よって夜間のみならず昼間の装飾性をもより強く演出することができる。
クリップ２３の機能により、装置を傘に取り付けないときは、動物の形状の背中などの係止部４９に設けたストラップにより、カバンなどに取り付けておくことができる。
【００１９】
また、制御スイッチ４７を設けることで、押しスイッチ４０の状態をいろいろに制御できる。すなわち、制御スイッチ４７の１の状態は、押しスイッチ４０の配線へ接続して押しスイッチ４０が有効に機能する状態である。通常はこの状態で使用する。制御スイッチ４７のニュートラルなの状態は、押しスイッチ４０のの配線及び平行な配線４５にも接続せず、押しスイッチ４０は機能せず、電源も切れた状態である。装置を使用しない状態である。制御スイッチ４７の２の状態は、押しスイッチ４０の配線と平行な配線４５のみへ接続して、押しスイッチ４０が機能せず、電源は入った状態である。回動部分を有する押しスイッチ４０に不具合が生じても、装置を使用することができる。
【００２０】
「他の実施形態」
以上の実施形態では、装置は、通常の構造を有する傘３の先端５にクリップ２３で取り付けて使用するものであったが、他の実施形態では、クリップ２３ではなくネジによって取り付けることができる。すなわち、例えば折り畳み傘の先端に設けられるネジ式の石突を外し、代わりに、この発明の装置をネジによって取り付けることができる。
【００２１】
この場合に、石突には雌ネジが形成され、折り畳み傘の先端には雄ネジが残されるが、この雄ネジに螺合する雌ネジを装置に一体に設ける。ネジにより、装置をしっかりと取り付けることが可能になる。
以上の実施形態では、装置ハウジング１９はコアラのような動物の形状を有するものであったが、他の実施形態では、他の動物の形状、あるいは動物以外のキャラクターの形状を有するものでも良い。
【図面の簡単な説明】
【００２２】
【図１】この発明の一実施形態に係る装置を示すもので、（Ａ）は装置を傘の先端に取り付けた状態を示す斜視図、（Ｂ）は（Ａ）の装置の分解図である。
【図２】図１（Ａ）の傘全体を含めた全体図である。
【図３】図１（Ｂ）の装置に内蔵されるＬＥＤライトの回路図である。
【符号の説明】
【００２３】
１…傘イルミネーションライト装置、３…傘、５…先端、７…中棒、９…石突、１１…上ろくろ、１３…親骨、１５…下はじき、１７…布、１９…装置ハウジング、２１…四肢、２３…クリップ、２５…回動軸、２７…開閉バネ、２９…スイッチ、３１…尻尾、３３…軸、３５…スイッチバネ、３７…突起、３９…ＬＥＤ、４０・・押しスイッチ、４１…ボタン電池、４３…点滅回路、４５…平行な配線、４７…制御スイッチ。
【図１】
2007089625.tif 000003
【図２】
2007089625.tif 000004
【図３】
2007089625.tif 000005